【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
血圧測定部位の動脈を圧迫する阻血用空気袋と、
血圧測定部位に装着時に前記阻血用空気袋と生体との間にて前記阻血用空気袋の略中央部よりも心臓側に配置されるサブ空気袋と、
血圧測定部位に装着時に前記阻血用空気袋と生体との間にて前記阻血用空気袋の略中央部よりも心臓側に配置される脈波検出用空気袋と、
前記阻血用空気袋と前記サブ空気袋との間に接続される第１流体抵抗器と、
前記第１流体抵抗器と並行に、その入力側を前記阻血用空気袋側に、その出力側を前記サブ空気袋側に接続した逆止弁と、
前記阻血用空気袋と接続される第１配管と、
前記脈波検出用空気袋に第２流体抵抗器を介して接続される第２配管と、
血圧測定部位に装着されるカフ本体と、
前記カフ本体と前記第２配管にて接続されるカフ圧力検出部と、
前記カフ本体と前記第１配管にて接続され、前記カフ本体を加圧する加圧手段と、
前記加圧手段を制御する加圧制御部と、
前記カフ本体と前記第１配管にて接続され、前記カフ本体を減圧する減圧制御部と、
前記カフ圧力検出部に電気的に接続され、脈波を検出脈波信号に変換し、検出脈波信号に重畳する脈波を検出する脈波検出部と、
前記脈波検出部からの出力と、前記カフ圧力検出部の検出カフ圧信号とに基づき血圧値を決定する血圧検出部と、
前記血圧検出部の血圧値を表示する血圧表示部とを備えた本体と、
を備えることを特徴とする血圧測定装置。
【請求項２】
前記阻血用空気袋と前記サブ空気袋との間にパッキング材を含む第１裏打部材を、また前記阻血用空気袋と前記脈波検出用空気袋との間にパッキング材を含む第２裏打部材を配置したことを特徴とする請求項１に記載の血圧測定装置。
【請求項３】
前記阻血用空気袋と前記カフ本体との間にパッキング材を含む第３裏打部材を配置したことを特徴とする請求項１または２に記載の血圧測定装置。
【請求項４】
前記第１流体抵抗器と前記第２流体抵抗器は、略等しい流体抵抗を有することを特徴とする請求項１乃至３のいずれか１項に記載の血圧測定装置。
【請求項５】
血圧測定部位の動脈を圧迫する阻血用空気袋と、
血圧測定部位に装着時に前記阻血用空気袋と生体との間にて前記阻血用空気袋の略中央部よりも心臓側に配置されるサブ空気袋と、
血圧測定部位に装着時に前記阻血用空気袋と生体との間にて前記阻血用空気袋の略中央部よりも心臓側に配置される脈波検出用空気袋と、
前記阻血用空気袋と前記サブ空気袋との間に接続される第１流体抵抗器と、
前記第１流体抵抗器と並行に、その入力側を前記阻血用空気袋側に、その出力側を前記サブ空気袋側に接続した逆止弁と、
前記阻血用空気袋と接続される第１配管と、
前記脈波検出用空気袋に第２流体抵抗器を介して接続される第２配管と、
血圧測定部位に装着されるカフ本体と、
前記カフ本体と前記第２配管にて接続されるカフ圧力検出部と、
前記カフ本体と前記第１配管にて接続され、前記カフ本体を加圧する加圧手段と、
前記加圧手段を制御する加圧制御部と、
前記カフ本体と前記第１配管にて接続され、前記カフ本体を減圧する減圧制御部と、
前記カフ圧力検出部に電気的に接続され、脈波を検出脈波信号に変換し、検出脈波信号に重畳する脈波を検出する脈波検出部と、
前記脈波検出部からの出力と、前記カフ圧力検出部の検出カフ圧信号とに基づき血圧値を決定する血圧検出部と、
前記血圧検出部の血圧値を表示する血圧表示部と、
を備えた血圧測定装置の測定方法であって、
前記加圧制御部を介して前記動脈を圧迫する工程と、
前記圧力検出部により、前記脈波を検出脈波信号に変換する工程と、
前記減圧制御部を介して前記カフ組立体を減圧する工程と、
前記脈波検出部において、前記検出脈波信号に重畳する脈波を検出する工程と、
前記血圧検出部において、前記脈波検出部の出力と、前記カフ圧力検出部の検出カフ圧信号とに基づき血圧値を決定する工程と、
前記血圧表示部において、前記血圧検出部からの血圧値を表示する工程と、
を有することを特徴とする測定方法。
【請求項６】
血圧測定部位の動脈を圧迫する阻血用空気袋と、
血圧測定部位に装着時に前記阻血用空気袋と生体との間にて前記阻血用空気袋の略中央部よりも心臓側に配置されるサブ空気袋と、
血圧測定部位に装着時に前記阻血用空気袋と生体との間にて前記阻血用空気袋の略中央部よりも心臓側に配置される脈波検出用空気袋と、
前記阻血用空気袋と前記サブ空気袋との間に接続される第１流体抵抗器と、
前記第１流体抵抗器と並行に、その入力側を前記阻血用空気袋側に、その出力側を前記サブ空気袋側に接続した逆止弁と、
前記阻血用空気袋と接続される第１配管と、
前記脈波検出用空気袋に第２流体抵抗器を介して接続される第２配管と、
血圧測定部位に装着されるカフ本体と、
前記カフ本体と前記第２配管にて接続されるカフ圧力検出部と、
前記カフ本体と前記第１配管にて接続され、前記カフ本体を加圧する加圧手段と、
前記加圧手段を制御する加圧制御部と、
前記カフ本体と前記第１配管にて接続され、前記カフ本体を減圧する減圧制御部と、
前記カフ圧力検出部に電気的に接続され、脈波を検出脈波信号に変換し、検出脈波信号に重畳する脈波を検出する脈波検出部と、
前記脈波検出部からの出力と、前記カフ圧力検出部の検出カフ圧信号とに基づき血圧値を決定する血圧検出部と、
前記血圧検出部の血圧値を表示する血圧表示部と、
を備えた血圧測定装置の制御プログラムが記憶されたコンピュータ読取り可能な記憶媒体であって、
前記制御プログラムが、
前記加圧制御部を介して前記動脈を圧迫するプログラムと、
前記圧力検出部により、前記脈波を検出脈波信号に変換するプログラムと、
前記減圧制御部により、前記カフ組立体を減圧するプログラムと、
前記脈波検出部で、前記検出脈波信号に重畳する脈波を検出するプログラムと、
前記血圧検出部において、前記脈波検出部の出力と、前記カフ圧力検出部の検出カフ圧信号とに基づき血圧値を決定するプログラムと、
前記血圧表示部において、前記血圧検出部からの血圧値を表示するプログラムと、
を有することを特徴とする記憶媒体。
【手続補正２】
【補正対象書類名】明細書
【補正対象項目名】発明の名称
【補正方法】変更
【補正の内容】
【発明の名称】血圧測定装置、その測定方法及び記憶媒体
【手続補正３】
【補正対象書類名】明細書
【補正対象項目名】０００１
【補正方法】変更
【補正の内容】
【０００１】
本発明は、血圧測定装置に係り、特に阻血用カフを用いるオシロメトリツク方式を用いて非観血血圧測定を行う血圧測定用カフを用いた血圧測定装置に関する。
【手続補正４】
【補正対象書類名】明細書
【補正対象項目名】００１８
【補正方法】変更
【補正の内容】
【００１８】
上述した課題を解決するために、本発明の血圧測定装置によれば、血圧測定部位の動脈を圧迫する阻血用空気袋と、血圧測定部位に装着時に前記阻血用空気袋と生体との間にて前記阻血用空気袋の略中央部よりも心臓側に配置されるサブ空気袋と、血圧測定部位に装着時に前記阻血用空気袋と生体との間にて前記阻血用空気袋の略中央部よりも心臓側に配置される脈波検出用空気袋と、前記阻血用空気袋と前記サブ空気袋との間に接続される第１流体抵抗器と、前記第１流体抵抗器と並行に、その入力側を前記阻血用空気袋側に、その出力側を前記サブ空気袋側に接続した逆止弁と、前記阻血用空気袋と接続される第１配管と、前記脈波検出用空気袋に第２流体抵抗器を介して接続される第２配管と、血圧測定部位に装着されるカフ本体と、前記カフ本体と前記第２配管にて接続されるカフ圧力検出部と、前記カフ本体と前記第１配管にて接続され、前記カフ本体を加圧する加圧手段と、前記加圧手段を制御する加圧制御部と、前記カフ本体と前記第１配管にて接続され、前記カフ本体を減圧する減圧制御部と、前記カフ圧力検出部に電気的に接続され、脈波を検出脈波信号に変換し、検出脈波信号に重畳する脈波を検出する脈波検出部と、前記脈波検出部からの出力と、前記カフ圧力検出部の検出カフ圧信号とに基づき血圧値を決定する血圧検出部と、前記血圧検出部の血圧値を表示する血圧表示部とを備えた本体と、を備えることを特徴としている。
【手続補正５】
【補正対象書類名】明細書
【補正対象項目名】００２２
【補正方法】変更
【補正の内容】
【００２２】
血圧測定部位の動脈を圧迫する阻血用空気袋と、血圧測定部位に装着時に前記阻血用空気袋と生体との間にて前記阻血用空気袋の略中央部よりも心臓側に配置されるサブ空気袋と、血圧測定部位に装着時に前記阻血用空気袋と生体との間にて前記阻血用空気袋の略中央部よりも心臓側に配置される脈波検出用空気袋と、前記阻血用空気袋と前記サブ空気袋との間に接続される第１流体抵抗器と、前記第１流体抵抗器と並行に、その入力側を前記阻血用空気袋側に、その出力側を前記サブ空気袋側に接続した逆止弁と、前記阻血用空気袋と接続される第１配管と、前記脈波検出用空気袋に第２流体抵抗器を介して接続される第２配管と、血圧測定部位に装着されるカフ本体と、前記カフ本体と前記第２配管にて接続されるカフ圧力検出部と、前記カフ本体と前記第１配管にて接続され、前記カフ本体を加圧する加圧手段と、前記加圧手段を制御する加圧制御部と、前記カフ本体と前記第１配管にて接続され、前記カフ本体を減圧する減圧制御部と、前記カフ圧力検出部に電気的に接続され、脈波を検出脈波信号に変換し、検出脈波信号に重畳する脈波を検出する脈波検出部と、前記脈波検出部からの出力と、前記カフ圧力検出部の検出カフ圧信号とに基づき血圧値を決定する血圧検出部と、前記血圧検出部の血圧値を表示する血圧表示部と、を備えた血圧測定装置の測定方法であって、前記加圧制御部を介して前記動脈を圧迫する工程と、前記圧力検出部により、前記脈波を検出脈波信号に変換する工程と、前記減圧制御部を介して前記カフ組立体を減圧する工程と、前記脈波検出部において、前記検出脈波信号に重畳する脈波を検出する工程と、前記血圧検出部において、前記脈波検出部の出力と、前記カフ圧力検出部の検出カフ圧信号とに基づき血圧値を決定する工程と、前記血圧表示部において、前記血圧検出部からの血圧値を表示する工程と、を有することを特徴としている。
【手続補正６】
【補正対象書類名】明細書
【補正対象項目名】００２３
【補正方法】変更
【補正の内容】
【００２３】
また、血圧測定部位の動脈を圧迫する阻血用空気袋と、血圧測定部位に装着時に前記阻血用空気袋と生体との間にて前記阻血用空気袋の略中央部よりも心臓側に配置されるサブ空気袋と、血圧測定部位に装着時に前記阻血用空気袋と生体との間にて前記阻血用空気袋の略中央部よりも心臓側に配置される脈波検出用空気袋と、前記阻血用空気袋と前記サブ空気袋との間に接続される第１流体抵抗器と、前記第１流体抵抗器と並行に、その入力側を前記阻血用空気袋側に、その出力側を前記サブ空気袋側に接続した逆止弁と、前記阻血用空気袋と接続される第１配管と、前記脈波検出用空気袋に第２流体抵抗器を介して接続される第２配管と、血圧測定部位に装着されるカフ本体と、前記カフ本体と前記第２配管にて接続されるカフ圧力検出部と、前記カフ本体と前記第１配管にて接続され、前記カフ本体を加圧する加圧手段と、前記加圧手段を制御する加圧制御部と、前記カフ本体と前記第１配管にて接続され、前記カフ本体を減圧する減圧制御部と、前記カフ圧力検出部に電気的に接続され、脈波を検出脈波信号に変換し、検出脈波信号に重畳する脈波を検出する脈波検出部と、前記脈波検出部からの出力と、前記カフ圧力検出部の検出カフ圧信号とに基づき血圧値を決定する血圧検出部と、前記血圧検出部の血圧値を表示する血圧表示部と、を備えた血圧測定装置の制御プログラムが記憶されたコンピュータ読取り可能な記憶媒体であって、前記制御プログラムが、前記加圧制御部を介して前記動脈を圧迫するプログラムと、前記圧力検出部により、前記脈波を検出脈波信号に変換するプログラムと、前記減圧制御部により、前記カフ組立体を減圧するプログラムと、前記脈波検出部で、前記検出脈波信号に重畳する脈波を検出するプログラムと、前記血圧検出部において、前記脈波検出部の出力と、前記カフ圧力検出部の検出カフ圧信号とに基づき血圧値を決定するプログラムと、前記血圧表示部において、前記血圧検出部からの血圧値を表示するプログラムと、を有することを特徴としている。